(57)【要約】【課題】音声出力システムの切替時にノイズが発生せず、小規模で設備コストが低く、信頼性の高い音声切替装置を提供する。【解決手段】複数の音声信号から一の音声信号を選択するセレクタ３１０と、セレクタ３１０から分岐した一方の音声信号を所定の時間遅延させる遅延回路３４０と、遅延回路３４０から出力される一方の音声信号と、セレクタ３１０から分岐した他方の音声信号とをクロスフェードさせる２台のフェーダアンプ３３０、３３１と、遅延回路３４０から出力される一方の音声信号が出力されている時に複数の音声信号から一の音声信号の選択を切り替える制御手段と、遅延回路３４０から出力される一方の音声信号とセレクタ３１０から分岐した他方の音声信号とを混合する混合装置３５０とを備える音声切替装置。【選択図】  図１
2004310817.tif 000002
【特許請求の範囲】
【請求項１】
複数の音声信号から一の音声信号を選択するセレクタと、
該セレクタから分岐した一方の音声信号を所定の時間遅延させる遅延回路と、
該遅延回路から出力される一方の音声信号と、前記セレクタから分岐した他方の音声信号とをクロスフェードさせる２台のフェーダアンプと、
前記遅延回路から出力される一方の音声信号が出力されている時に前記複数の音声信号から一の音声信号の選択を切り替える制御手段と、
前記遅延回路から出力される一方の音声信号と前記セレクタから分岐した他方の音声信号とを混合する混合装置とを備えることを特徴とする音声切替装置。
【請求項２】
前記音声信号は、複数の音声デジタルフォーマットまたは／及び複数の映像音声の多重化信号をデコード処理または／及びデマルチ処理することによって得られることを特徴とする請求項１記載の音声切替装置。
【発明の詳細な説明】
【０００１】
【発明の属する技術分野】
本発明は、音声切替装置に関し、特に、音声信号の切替時にノイズを発生することなく、大規模なシステムへの適応に際して、高い信頼性と設備コストの低減を実現することができる音声切替装置に関する。
【０００２】
【従来の技術】
従来の音声切替装置は、例えば、図６に示すように、音声出力システム１〜ｎ（１００〜１０ｎ）と、この音声出力システム１〜ｎ（１００〜１０ｎ）と同数のデコーダ１１０〜１１ｎと、フェーダアンプ（ＦＡ）１２０〜１２ｎと、混合装置１３０と、フェーダアンプ１２０〜１２ｎ及び混合装置１３０を制御するソフトウェアとで構成される。
【０００３】
そして、この音声切替装置は、図７に示すように、図６に示したｎ台の音声出力システム１〜ｎ（１００〜１０ｎ）から１台の音声出力システムの信号を選択して出力するにあたって、例えば、音声出力システム１（１００）から音声出力システム２（１０１）へ切り替える場合には、ソフトウェアから現在出力している音声出力システム１（１００）のフェーダアンプ１２０に対してカットアウト（音声レベルを小さくして−∞ｄＢまで変化させる）処理を行い、同じタイミングで、新たに音声出力を行う音声出力システム２（１０１）のフェーダアンプ１２１に対してカットイン（音声レベルを−∞から０ｄＢまで変化させる）処理を行うことにより、ノイズの発生しないクロスフェード処理による切替を行なっていた。
【０００４】
【発明が解決しようとする課題】
しかし、上記従来の音声切替装置においては、システム毎に高価な機器であるデコーダ、フェーダアンプなどの機器を必要とするため、規模が大きくなるほど設備コストが高騰するという問題があった。また、システム規模が大きくなるほど、より多くの機器、装置などを必要とするため、構成機器の故障率が上昇し、システムの信頼性が低下するという問題もあった。
【０００５】
そこで、本発明は、上記従来の音声切替装置における問題点に鑑みてなされたものであって、音声出力システムの切替時にノイズの発生しないショックレスな切替を実現するとともに、小規模で設備コストの高騰を抑え、信頼性の高い音声切替装置を提供することを目的とする。
【０００６】
【課題を解決するための手段】
上記目的を達成するため、本発明は、音声切替装置であって、複数の音声信号から一の音声信号を選択するセレクタと、該セレクタから分岐した一方の音声信号を所定の時間遅延させる遅延回路と、該遅延回路から出力される一方の音声信号と、前記セレクタから分岐した他方の音声信号とをクロスフェードさせる２台のフェーダアンプと、前記遅延回路から出力される一方の音声信号が出力されている時に前記複数の音声信号から一の音声信号の選択を切り替える制御手段と、前記遅延回路から出力される一方の音声信号と前記セレクタから分岐した他方の音声信号とを混合する混合装置とを備えることを特徴とする。
【０００７】
そして、本発明によれば、音声出力システムの切替時にノイズが発生しないとともに、システムの規模に関わらず、２台のフェーダアンプと、各々１台のセレクタ、遅延回路、混合装置とにより音声信号の切替を実現できるため、小規模で設備コストを低く抑え、信頼性の高い音声切替装置を提供することができる。
【０００８】
前記音声信号は、複数の音声デジタルフォーマットまたは／及び複数の映像音声の多重化信号をデコード処理または／及びデマルチ処理することによって得られたものとすることができる。
【０００９】
【発明の実施の形態】
次に、本発明の実施の形態について図面を参照しながら説明する。
【００１０】
図１は、本発明にかかる音声切替装置の第１の実施の形態を示し、この音声切替装置は、音声出力システム１〜ｎ（３００〜３０ｎ）と、この音声出力システム１〜ｎ（３００〜３０ｎ）からの信号出力を選択するセレクタ３１０と、デコーダ３２０と、２台のフェーダアンプ（ＦＡ）３３０、３３１と、混合装置３５０と、遅延回路３４０と、セレクタ３１０及びフェーダアンプ３３０、３３１とを制御するソフトウェア（制御手段）とで構成される。
【００１１】
セレクタ３１０は、ｎ台の音声出力システム１〜ｎ（３００〜３０ｎ）の信号出力から一つまたは複数の出力を選択する。デコーダ３２０は、映音が多重化されたエンベデッド信号やＡＥＳ／ＥＢＵフォーマットなどの特定のフォーマットから音声データを抽出する。フェーダアンプ３３０、３３１は、入力される音声信号に対してレベル制御を行うことにより、フェーダ効果及びゲインコントロールを行う。混合装置３５０は、２台のフェーダアンプ３３０、３３１からの信号出力を常時混合して出力する。遅延回路３４０は、入力信号を一定の時間遅延させ、遅延信号を出力する。
【００１２】
次に、上記構成を有する音声切替装置の動作について、図１乃至図３を参照しながら説明する。
【００１３】
まず、初期状態として、セレクタ３１０によって選択されている音声出力システム１（３００）から、信号がデコーダ３２０を通って分配され、フェーダアンプ３３０、３３１に入力されているものとする。この状態においては、フェーダアンプ３３０からのリアルタイム音声ＩＮ−１のみが混合装置３５０から出力されている（図３−ステップＡ１）。
【００１４】
ここで、音声出力システム１（３００）から音声出力システム２（３０１）への切替要求が発生すると（図３−ステップＡ２）、以下の動作を行う。
【００１５】
ソフトウェアは、フェーダアンプ３３０に対してカットアウト、フェーダアンプ３３１に対してカットインの制御を行い、現在音声出力を行っている音声出力システム１（３００）からの信号であるリアルタイム音声信号ＩＮ−１と、遅延回路３４０の出力である遅延音声信号ＩＮ−２とを用いてクロスフェード処理を行う。これにより、リアルタイム音声ＩＮ−１が−∞ｄＢとなり、遅延音声ＩＮ−２が０ｄＢとなり、リアルタイム音声ＩＮ−１が無音状態となる（図２−Ａ、図３−ステップＡ３、Ａ４）。
【００１６】
次に、ソフトウェアからセレクタ３１０に対して切り替え制御を行う（図３−ステップＡ５）。この時点では、遅延音声ＩＮ−２は、Δｔの遅延があるため、セレクタ３１０の切り替え前の信号が出力されている。従って、仮にセレクタ３１０の切替時にノイズが発生したとしても出力されることはない。
【００１７】
最後に、ソフトウェアからフェーダアンプ３３０に対してカットイン、フェーダアンプ３３１に対してカットアウトの制御を行い、リアルタイム音声信号ＩＮ−１と遅延音声信号ＩＮ−２を用いて再度クロスフェード処理を行う（図２−Ｂ、図３−ステップＡ６、Ａ７）。これにより、リアルタイム音声信号ＩＮ−１が０ｄＢとなり、遅延信号が−∞ｄＢとなり、リアルタイム音声信号ＩＮ−１が混合装置３５０から出力される。
【００１８】
上述のように、本実施の形態では、セレクタ３１０によって、信号を１本に選択するように構成されているため、システム規模に関わらず、従来システム毎に必要としていたデコーダ（図６の１１０〜１１ｎ）などの高価な機器を１台にすることができる。
【００１９】
また、本実施の形態では、遅延信号ＩＮ−２を一時的に出力し、その間リアルタイム音声ＩＮ−１を出力しないように構成しているため、遅延時間Δｔをフェーダの傾斜時間よりも大きくすることにより、音声出力システム１（３００）で発生するノイズを出力することなく切替を行うことができる。
【００２０】
次に、本発明にかかる音声切替装置の第２の実施の形態について、図４及び図５を参照しながら詳細に説明する。尚、本実施の形態は、図１の第１の実施の形態で示した音声切替装置と同じ構成を備え、第１の実施の形態の逆の手段による切り替えを行う。
【００２１】
まず、初期状態として、セレクタ３１０によって選択されている音声出力システム１（３００）から、信号がデコーダ３２０を通って分配され、フェーダアンプ３３０及びフェーダアンプ３３１に入力されている。この状態においては、フェーダアンプ３３１からの遅延音声ＩＮ−２のみが混合装置３５０から出力されている（図５−ステップＡ１）。
【００２２】
ここで、音声出力システム１（３００）から音声出力システム２（３０１）への切替要求が発生すると（図５−ステップＡ２）、以下の動作を行う。
【００２３】
ソフトウェアは、セレクタ３１０に対して切り替え制御を行う（図５−ステップＡ３）。この時点では、遅延音声ＩＮ−２は、Δｔの遅延が出力されているため、セレクタ３１０を切り替えた時点では、前の信号が出力されている。従って、仮にセレクタ３１０の切り替え時にノイズが発生したとしても出力されることはない。
【００２４】
ソフトウェアは、フェーダアンプ３３０に対してカットイン、フェーダアンプ３３１に対してカットアウトの制御を行い、リアルタイム音声信号ＩＮ−１と、遅延音声信号ＩＮ−２とを用いてクロスフェード処理を行う。これにより、リアルタイム音声ＩＮ−１が０ｄＢとなり、遅延音声ＩＮ−２が−∞ｄＢとなる（図４−Ａ、図５−ステップＡ３、ステップＡ４）。
【００２５】
最後に、遅延音声ＩＮ−２側にノイズが含まれないタイミングでソフトウェア３からフェーダアンプ３３０に対しカットアウト、フェーダアンプ３３１に対してカットインの制御を行うことにより、再度クロスフェード処理を行う（図４−Ｂ、図５−ステップＡ６、Ａ７）。これにより、リアルタイム音声信号ＩＮ−１が−∞ｄＢとなり、遅延信号が０ｄＢとなり、遅延音声信号ＩＮ−２が混合装置３５０から出力される。
【００２６】
以上のように、本実施例においても、第１の実施例と同様の効果を奏する。
【００２７】
【発明の効果】
以上説明したように、本発明によれば、音声出力システムの切替時にノイズが発生せず、小規模で設備コストが低く、信頼性の高い音声切替装置を提供することができる。
【図面の簡単な説明】
【図１】本発明にかかる音声切替装置の第１の形態の構成を示すブロック図である。
【図２】本発明にかかる音声切替装置の第１の形態の構成を示す状態図である。
【図３】本発明にかかる音声切替装置の第１の形態の構成を示す流れ図である。
【図４】本発明にかかる音声切替装置の第２の形態の構成を示す状態図である。
【図５】本発明にかかる音声切替装置の第２の形態の構成を示す流れ図である。
【図６】従来の音声切替装置の一例の構成を示すブロック図である。
【図７】図６の音声切替装置の動作を示す状態図である。
【符号の説明】
１００，…１０ｎ            音声出力システム１〜ｎ
１１０，…１１ｎ            デコーダ
１２０，…１２ｎ            フェーダアンプ（ＦＡ）
１３０        混合装置
３００，…３０ｎ            音声出力システム１〜ｎ
３１０        セレクタ
３２０        デコーダ
３３０        フェーダアンプ（ＦＡ）
３３１        フェーダアンプ（ＦＡ）
３４０        遅延回路
３５０        混合装置
【図１】
2004310817.tif 000003
【図２】
2004310817.tif 000004
【図３】
2004310817.tif 000005
【図４】
2004310817.tif 000006
【図５】
2004310817.tif 000007
【図６】
2004310817.tif 000008
【図７】
2004310817.tif 000009